(57)【要約】【課題】走行する製品用帯状体(７)のカップ部(８)中へと固形製品(６)を引き渡す装置において、損傷を受けた製品を、生産を妨げることなく処理できるものを提供する。【解決手段】走行する製品用帯状体(７)の上方に充填用吊り下げ部材(９)を備え、この充填用吊り下げ部材には、積み重なった状態の製品を受け入れる製品シュート(１)が設けられている。製品シュート(１)の出口(４)には、製品用帯状体(７)の走行方向における下流側にレバー(２)が割り当てられ、このレバー(２)は、製品用帯状体(７)に平行に、かつ、その走行方向に垂直に配された回転軸(１０)の回りを振れ動き可能である。【選択図】図１
2005335813.tif 000002
【特許請求の範囲】
【請求項１】
走行する製品用帯状体(７)の上方に、積み重なった状態の製品(６)を受け入れる製品シュート(１)が形成された充填用部材(９)を備え、走行する製品用帯状体(７)のカップ部(８)中へと糖衣錠、タブレットまたはその他の固形の製品(６)を引き渡す装置に対して、走行する製品用帯状体(７)のカップ部(８)中へと入れられた破損製品(６’)が引き起こす中断または障害を除去する装置において、
製品シュート(１)の出口(４)には、製品用帯状体(７)の走行方向における下流側にレバー(２)が割り当てられ、このレバー(２)は、製品用帯状体(７)に平行に、かつ、その走行方向に垂直に配された回転軸(１０)の回りを振れ動き可能であることを特徴とする、固形製品引き渡し装置のための障害除去装置。
【請求項２】
レバー(２)の自由端が、製品シュート(１)の出口(４)のところで、製品用帯状体(７)に載せられ、回転軸(１０)が、製品用帯状体(７)の走行方向における下流側に、製品用帯状体(７)から間隔を置いて配置されていることを特徴とする請求項１に記載の装置。
【請求項３】
カップ部(８)に割り当てられた、レバー(２)の自由端に、ローラー(３)が取り付けられていることを特徴とする請求項１または２に記載の装置。
【請求項４】
充填用部材(９)には、レバー(２)から見て製品用帯状体(７)の側に、レバー(２)の休止状態における位置決めを行うためのストッパー(１１)が備えられていることを特徴とする請求項１〜３のいずれかに記載の装置。
【請求項５】
レバー(２)は、その休止状態の位置・姿勢から、バネ(１２)の力に逆らって振れ動き可能であることを特徴とする請求項１〜４のいずれかに記載の装置。
【請求項６】
バネ(１２)が、レバー(２)の、製品用帯状体(７)から見て逆側にて、該レバーに対してバネ力を加えていることを特徴とする請求項５に記載の装置。
【請求項７】
バネ(１２)の初期応力が、バネ力を変更または調整すべく、変更可能であることを特徴とする請求項５または６に記載の装置。
【請求項８】
製品用帯状体(７)におけるカップ部(８)以外の箇所に載っている製品(６)を取り除くための、回転ブラシまたはその他の除去手段が備えられることを特徴とする請求項１〜７のいずれかに記載の装置。
【請求項９】
製品シュート(１)及びこれに割り当てられたレバー(２)は、一つのカップ部の列における隣り合うカップ部(８)の数に対応する数だけ備えられていることを特徴とする請求項１〜８のいずれかに記載の装置。
【発明の詳細な説明】
【技術分野】
【０００１】
本発明は、走行する製品用帯状体のカップ部中に糖衣錠、タブレット等の固形製品を引き渡す装置に対して、走行する製品用帯状体のカップ部中へと入れられた破損製品が引き起こす中断や障害を防止または除去するための装置に関する。固形製品の引き渡し装置は、走行する製品用帯状体の上方に充填用の吊り下げ状や横断方向のブリッジ状等の部材を備え、この充填用部材には、積み重なった状態の製品を受け入れる製品シュートが形成されている。
【背景技術】
【０００２】
このような固形製品の引き渡し装置は、貯蔵容器中に、ランダムに配されて入れられた製品を、目的に応じて、製品用帯状体の複数のカップ部、特にはブリスターパッケージング（blister packaging；製品を収納するように膨出・湾曲形成されたプラスチックのシートと、印刷台紙とをヒートシールしたもの）のための受け入れ用カップ部付シート（ブリスターシート）のカップ部へと引き渡す必要がある場合に、実際に用いられている。
【０００３】
ところが、欠陥製品、特には、損傷を受けて破片のみが存在する製品が、選り分けられて除去されず製品トラブルを引き起こす場合、通常、生産ライン全体を停止させることによってのみ、製品トラブルを解消できるという問題がある。このことは、生産ラインの効率を著しく低下させる。また、破片が製品用帯状体をも損傷させるか、または、間接的に損傷を引き起こしうる。その結果、コントローラ装置が確実に感知できない非気密性ないしは孔が生じうる。
【発明の開示】
【発明が解決しようとする課題】
【０００４】
本発明の根底をなす課題は、上記の固形製品の引き渡し装置について、損傷を受けた製品を、生産を妨げることなく処理できるように構成することである。
【課題を解決するための手段】
【０００５】
冒頭で述べた、固形製品の引き渡し装置において、上記課題は、以下により解決される。
【０００６】
製品シュートの出口には、製品用帯状体の走行方向における下流側にレバーが割り当てられる。製品用帯状体に平行に、かつ、その走行方向に垂直に配された回転軸の回りを、このレバーが振れ動き可能である。
【発明の効果】
【０００７】
このような装置であると次のようになる。損傷を受けた製品が製品シュートからカップ部に充填されたとき、カップ部は完全に満たされず、製品シュートから次の製品が重力作用により当該カップ部中へと滑り落ちる。この製品には十分なスペースがないので、当該製品がカップ部から突き出ることとなる。この際、レバーが生産の中断や障害を防止ないしは除去している。というのは、製品用帯状体とともに、カップ部から突き出た製品が搬送されるとき、この製品がレバーに突き当たり、該レバーが、該製品を、カップ部の後方の縁を乗り越えるように押し倒すからである。レバーが回転軸の回りを回転可能であるので、レバーは、カップ部から取り除かれた製品のためのスペースを空けるように持ち上がって、該製品が、レバーの下をくぐり抜けて製品用帯状体上にてさらに搬送されるようにする。
【発明を実施するための最良の形態】
【０００８】
レバーの自由端が、製品シュートの出口のところで、製品用帯状体上に載せられており、回転軸が、製品用帯状体の走行方向の下流側に製品用帯状体から間隔をあけて配置されるならば好ましい。このようであると、製品用帯状体の走行方向に逆らって製品を移動させる際に、良好な応力伝達を実現できる。
【０００９】
カップ部に割り当てられているところの、レバーの自由端に、ローラーが取り付けられているならば、製品のロスの防止、及び、作動の確実性及び信頼性に寄与する。
【００１０】
最もシンプルな態様では、レバーが、走行する製品用帯状体の上に載せられ、製品が充填されたカップ部の上を走行する。しかしながら、充填用部材が、レバーから見て製品用帯状体の側に、レバーの休止状態での位置決め、すなわち休止の位置・姿勢を決めるためのストッパーを備えているならば好ましい。このようなストッパーは、レバーが休止の位置・姿勢において製品用帯状体から間隔をあけて配置されるということが確実に実現されるようにする。そのため、不具合なしに処理される製品は、レバーと接触することがない。
【００１１】
レバーがバネの力に逆らって休止の位置・姿勢から振れ動き可能であるならば好ましい。このようであると、元の位置・姿勢への復元力として重力のみが充分に作用するというのでなく、レバーを、軽く形成して、わずかな慣性のみ有するようにするという実施態様が可能である。バネが、レバーにおける製品用帯状体から見た逆側にて、バネ力を加えるならば、レバーの下方、したがって製品用帯状体から見て直接の上方には、スペースが設けられる。また、バネの初期応力を、バネ力の変化・調整のために変化させるという、簡単な実施態様が与えられる。このようにして、レバーに作用するバネ力を、製品の硬さに応じて設定することができる。
【００１２】
生産の中断・障害の発生をさらに防止するためには、製品用帯状体の上側に、カップ部以外に載った製品を取り除くための手段、好ましくは回転ブラシが備えられる。
【００１３】
生産効率を向上させるのに寄与するためには、製品シュート、及びこれに割り当てられたレバーが、カップ部の一つの列における隣り合うカップ部の数に、見合った数だけ備えられる。
【実施例】
【００１４】
図面には、タブレット、特には、一方向に長い（長円形、長方形など）タブレットといった固形製品６を、カップ部８、特には、走行する連続状の製品用帯状体におけるカップ部８中へと引き渡すための装置が描かれている。この引き渡し装置には、製品用帯状体７の上側に配置された充填用の吊り下げ状の部材９が含まれており、この充填用部材９には、積み重なった状態での製品６を受け入れる製品シュート１が設けられている。製品シュート１の出口４には、製品用帯状体７の走行方向における下流側に、レバー２が割り当てられている。このレバー２は、製品用帯状体７に平行に、かつ、製品用帯状体７の移動方向に直角に配置された回転軸１０の回りを振れ動き可能である。また、レバー２の自由端、すなわちカップ部８側の端部にはローラー３が取り付けられており、充填用部材９には、レバー２の、製品用帯状体７の側に、レバー２の休止の位置・姿勢を決めるためのストッパー１１が備えられている。
【００１５】
レバー２は、バネ１２の力に逆らって、その休止の位置・姿勢からの振れ動きが可能である。このバネ１２は、レバー２の、製品用帯状体７とは逆側の面に対して応力を加えており、バネ１２の初期応力は、バネ力の変更や調整のために可変である。
【００１６】
図面に描かれていないが、製品用帯状体７上にあってカップ部８以外におかれた製品６を取り除くための、好ましくは回転ブラシからなる手段が備えられる。
【００１７】
製品シュート１、及び、これに割り当てられたレバー２は、隣り合うカップ部８がなす一つの列に含まれるカップ部８の数に一致する数だけ存在する。とはいえ、図面では、見通しを良くするとともに、実質的な内容に集中するためにカップ部８の列を一列だけ示す。
【００１８】
以下に、本発明の装置の作動について簡単に説明する。図１には、どのように製品シュート１に製品６が積み重なり、相互に支持された状態で供給可能となるかを示す。この状態から、出口４のところにある先頭の製品６が、製品用帯状体７とともに近傍を移動するカップ部８中へと、向きを整えられた状態で引き渡される。次いで、この製品６は、カップ部８中に置かれて、製品用帯状体７とともにレバー２の下をくぐって搬送される。
【００１９】
図２及び３は、欠陥を有し一つの破片６’としてだけ存在する製品６が、カップ部８中へと引き渡された場合の、レバー２の作動様式を示す。この場合、カップ部８が完全に満たされてはおらず、後に続く製品６がカップ部８中へと滑り込む。ところが、カップ部８中に充分なスペースが存在しないので、カップ部８中から突き出すこととなる。さらに搬送された際、製品６は、レバー２にぶつかる。レバー２は、製品６を、カップ部８の後方の稜部を乗り越えてカップ部８から出るように、レバー状に回して持ち上げ、カップ部８間の踊り場に載せる。生産工程は、中断や障害を生じることなくさらに続けられる。レバー２が、バネ１２の力に逆らって、当該製品６のためのスペースを空けるように持ち上がるのであり、また、製品６による下方からの支持が消滅すると、レバー２が元の休止状態の位置・姿勢に戻るからである。
【図面の簡単な説明】
【００２０】
【図１】製品用帯状体の上側に配置される充填用部材についての部分断面斜視図である。
【図２】欠陥を有する製品が入ったカップ部への充填工程を示す模式的な側面図である。
【図３】図２よりも少し後の時点の状態を示す、図２と同様の側面図である。
【符号の説明】
【００２１】
１  製品シュート            ２  レバー            ３  レバー１先端のローラー
４  製品シュート１の出口    ６  製品              ７  製品用帯状体
８  製品収納用のカップ部    ９  充填用部材        １０  レバーの回転軸
１１  ストッパー            １２  バネ
【図１】
2005335813.tif 000003
【図２】
2005335813.tif 000004
【図３】
2005335813.tif 000005